(57)【特許請求の範囲】
【請求項１】
ボイスコイルを設けたダイアフラムからなる音響再生部と、
カップ状のマグネット取付部を有し、サスペンションによって弾性支持したヨーク及び前記取付部に設けたマグネットからなる振動発生部とを有する、長方形の平面形状を有するダイナミック構造の多機能型振動アクチュエータであって、
前記ダイアフラムが切り欠き部を有するボイスコイル取付部を有し、
前記ボイスコイルを、前記ダイアフラムのエッジ面から突出して設け、
前記マグネット取付部の内壁に切り欠き部を設け、
前記振動発生部に形成された磁気空隙に前記ボイスコイルを配置した多機能型振動アクチュエータ。
【発明の詳細な説明】
【技術分野】
【０００１】
現在、携帯電話に代表される移動体通信機器の一部の機種には、使用者に着信を報知する際に音響再生と体感振動を一つのデバイスで知らせるマルチファンクション機能が付加されているものがある。
【０００２】
この様な機能を付加するために、特開２００６−３１１１５６（以下特許文献１として記載）及び特開２００５−２９４９８２（以下特許文献２として記載）等の小型スピーカと体感振動発生デバイスとを組み合わせた構成が用いられており、スピーカによる音響再生機能と体感振動発生デバイスの振動発生機能によって使用者に対する着信の報知を可能としている。
【０００３】
上述したデバイスのうち、特許文献１及び２に記載のスピーカは、従来のスピーカと比較してダイアフラムに対するボイスコイル径の大きさを拡大しており、ダイアフラム径を拡大することなく、限られた搭載スペースでの音圧向上を可能としている。
【０００４】
上記効果に加えて、上記特許文献１及び２では、ダイアフラムのセンタードームから延長した部分にボイスコイルを取り付けたことで、センタードーム周辺の環状振動部に於ける剛性を低くし、最低共振周波数を抑えることができる。
【０００５】
また、特許文献２では、センタードームを延長して径を拡大したボイスコイルを設けており、上記最低共振周波数を抑えたことによる再生帯域の広域化と共に、センタードームの拡大による音圧の向上という効果を得ている。
【０００６】
【特許文献１】特開２００６−３１１１５６
【特許文献２】特開２００５−２９４９８２
【発明の開示】
【発明が解決しようとする課題】
【０００７】
しかしながら、上記特許文献１及び２に記載の小型スピーカを用いた場合、別途体感振動発生デバイスを搭載する必要があるという問題があった。
【０００８】
この為、携帯電話機本体への組込時に搭載スペースを大きく取る必要があり、結果として携帯電話機全体の小型化が難しくなってしまう。
【０００９】
この様な問題に鑑み、本発明では単一のデバイスで音響再生と体感振動の発生とを行う多機能型振動アクチュエータに於いて、ダイアフラムの大きさを変えずにボイスコイル径の拡大によって音圧を増加することを目的としている。
【課題を解決するための手段】
【００１０】
前記目的のため、請求項１記載の発明では、カップ状のマグネット取付部を設けたヨークを有するダイナミック構造の多機能型振動アクチュエータに於いて、体感振動の発生を行う磁気回路取付部に切り欠き部を設けたことを特徴としている。
【００１１】
前記構造を用いたことで、請求項１記載の発明ではヨーク外径を変えずにマグネット径の拡大が可能となる。この為、マグネット径の拡大による磁束の増加とそれに伴う磁気効率の向上という効果を得ることができる。
【００１２】
加えて、上記磁束の増加によって再生音圧の向上が可能となる為、前記マグネットの大径化による磁気効率の向上と併せて、円板形状のマグネットを用いた場合に振動特性の平坦化という効果を得ることができる。
【００１３】
また、請求項２に記載の発明では、請求項１に記載の多機能型振動アクチュエータに於いて、ダイアフラムに取り付けるボイスコイルを、ダイアフラムのエッジ面から突出して設けたことを特徴としている。
【００１４】
この為、請求項１に記載の多機能型振動アクチュエータに於いて拡大されたマグネット径に対応して、ダイアフラムに設けるボイスコイルの径のみを拡大することが可能となり、ダイアフラムの平面形状を拡大することなく、音響再生時の音圧を高めることができる。
【００１５】
また、請求項３に記載の発明では、請求項１又は２に記載の多機能型振動アクチュエータに於いて、音響再生部を構成するダイアフラムに切り欠き部を有するボイスコイル取付部を設けた構造を特徴としており、ボイスコイル取付時、請求項１又は２に記載の多機能型振動アクチュエータに於いて拡大したマグネット径に併せてボイスコイル取付部を形成することができる。
【００１６】
上記述べた効果に加えて、本発明の多機能型振動アクチュエータはダイナミック構造を用いている為に、可動鉄片型等の他構造と比較して体感振動発生時の振幅を大きく設定することが可能となっている。
【実施例】
【００１７】
以下に、図１〜図４を用いて、本発明における最良の実施形態を示す。
【００１８】
図１に本実施例に於いて用いる多機能型振動アクチュエータの斜視図を示す。図１から解るように、本実施例の多機能型振動アクチュエータは長方形の平面形状を有するハウジングを用いている。この為、取付基板への実装時に他の取付部品に密集して配置できると共に、筐体への組込時に於いて、狭い部分への配置が容易になるという効果を得ることができた。
【００１９】
図２に図１に示した多機能型振動アクチュエータの分解斜視図を、図３に図１で示した多機能型振動アクチュエータのａ−ａ’断面での側断面図を、そして図４、図５にダイアフラムの背面斜視図及び平面図をそれぞれ示す。
【００２０】
図２、図３及び図４から解るように、本実施例で用いる多機能型振動アクチュエータはセンターキャップ１とダイアフラム２とで構成した振動板に、切り欠き部ｄ’を有するボイスコイル取付部Ｄを設け、該ボイスコイル取付部にボイスコイル３を固着することで音響再生部を構成している。
【００２１】
前記構造を用いたことで、本発明の多機能型振動アクチュエータはダイアフラム２のエッジ面Ｓから３ｄを突出してボイスコイル３の径を拡大することが可能となった。また、ボイスコイル径を拡大したことでダイアフラムの形状を変化させずに再生音圧を高める事ができた。
【００２２】
また、本実施例では前記センターキャップ１に関して平板形状とした構成を用いており、板厚を変えることによって容易に音響特性を調整することができると共に、アクチュエータ全体の厚み寸法を抑えることを可能としている。
【００２３】
更に、本実施例ではダイアフラム２とセンターキャップ１を貼り合わせる際に、ボイスコイル取付部背面の凹部ｉを接着剤ｈで充填した後に貼り合わせた構造を用いている。この為、ボイスコイル取付部の剛性を向上し、音響再生時に於けるボイスコイル−ダイアフラム間での減衰を抑制することができた。
【００２４】
加えて、本実施例に記載の多機能型振動アクチュエータは略長方形のダイアフラム角部にＶ溝ｃを設けた構造を有している。この為、ダイアフラム２に於ける環状支持部の歪みを分散させ、音響再生時の音響特性を向上させることが可能となった。
【００２５】
また、体感振動を発生する磁気回路部に関しては、磁性体からなるヨーク６に切り欠き部６ｄ’を有するカップ状のマグネット取付部を設け、該マグネット取付部にマグネット５及びポールピース４を固着した構造を用いている。
【００２６】
また、前記マグネット取付部の一部のみを切り欠いた構造を用いた事で、本実施例では磁気回路部に搭載したマグネットの径寸法を拡大し、音響再生時及び体感振動発生時に於ける磁気効率を向上させることができた。
【００２７】
また、前述したように本実施例では長方形のヨーク６に円板形状のマグネット５を組み合わせた構造となっている。この為、ヨーク６の平面形状を長方形としたことによって不安定になる振動特性を、端面での磁束密度が高い円板形状のマグネット５を用いることで解決し、ハウジング形状に合わせたヨーク４による充分な振動量と、円板形状のマグネットによる平坦な振動特性を得ることができた。
【００２８】
また、図２に示した分解斜視図から解るように、前記磁気回路部を支持するサスペンションに関して、本実施例では角部を突出させた平面形状の枠型サスペンション７を用いた構造となっており、各取付部７ｂ、７ｅによって前記磁気回路部をハウジング８に支持している。
【００２９】
この為、体感振動の発生時にサスペンション角部によってサスペンション全体に生じる歪みを吸収すると共に、従来の放射型形状のサスペンションが有していた体感振動の発生時に於ける磁気回路部の回転という課題を解決することができた。
【００３０】
上記効果に加えて、本実施例では前記磁気回路部をハウジング８の端部から突出した状態で支持し、ハウジング外縁部に取り付けたカバー９によって磁気回路部を保護する構造を用いている。この為、本実施例ではヨーク外縁部をハウジング内壁よりも大きく構成し、ハウジング端部をヨーク外縁部に対応した対衝撃用のストッパｆとして機能させることが可能となった。
【００３１】
以上述べたように、本実施例に記載の多機能型振動アクチュエータを用いることで、ダイアフラムの大きさを変えずにボイスコイル径の拡大によって音圧を増加し、全体として容易に小型化することが可能な多機能型振動アクチュエータを得ることが可能となった。
【図面の簡単な説明】
【００３２】
【図１】本実施例に於いて用いる多機能型振動アクチュエータの斜視図
【図２】本実施例に於いて用いる多機能型振動アクチュエータの分解斜視図
【図３】図１に於けるａ−ａ’断面での側断面図
【図４】本実施例に於いて用いるダイアフラムのボイスコイル取付部
【図５】図４に於けるダイアフラムにボイスコイルを搭載した平面図
【符号の説明】
【００３３】
１    センターキャップ
２    ダイアフラム
３    ボイスコイル
３ｄ  ボイスコイル突出部
４    ポールピース
５    マグネット
６    ヨーク
６ｂ  ヨーク側サスペンション取付部
６ｄ’ヨーク切り欠き部
７    サスペンション
７ｂ  ヨーク取付部
７ｅ  ハウジング取付部
８    ハウジング
９    カバー
１０    接点端子
ｃ    Ｖ溝
Ｄ    ボイスコイル取付部
ｄ’  ボイスコイル取付部の切欠部
ｆ    ストッパ機構
ｇ    磁気空隙
ｈ    接着剤
ｉ    ダイアフラム凹部
Ｓ    エッジ面
【図１】
0005076237.tif 000002
【図２】
0005076237.tif 000003
【図３】
0005076237.tif 000004
【図４】
0005076237.tif 000005
【図５】
0005076237.tif 000006